(57)【特許請求の範囲】
【請求項１】
圧縮機や冷却器などの冷凍装置が配設され、冷凍冷蔵ショーケースの運転を制御するショーケース用制御器が接続され、前記圧縮機に保護装置を接続し圧縮機が停止後直ちに再起動されると保護装置が作動して圧縮機の駆動を停止する冷凍冷蔵ショーケースにおいて、冷凍冷蔵ショーケースの製造後の初回の圧縮機起動後からの起動回数を前記ショーケース用制御器に予め記憶させておき、この設定された所定の回数分は圧縮機の再起動後、停止させずに即運転に移行することを特徴とする冷凍冷蔵ショーケース。
【請求項２】
前記圧縮機の再起動後の運転時間が一定時間以内の短時間の場合は、この起動回数を予め設定された起動回数として計数しないことを特徴とする請求項１記載の冷凍冷蔵ショーケース。
【請求項３】
冷凍冷蔵ショーケースの製造後に、前記圧縮機を一定時間通常運転した後は、それ以降に電源を再度投入した場合、冷媒圧力均衡のために必要な時間を経過してから圧縮機を再起動させることを特徴とする請求項１記載の冷凍冷蔵ショーケース。
【発明の詳細な説明】
【技術分野】
【０００１】
本発明は、冷凍冷蔵ショーケースの圧縮機の運転制御に関するものである。
【背景技術】
【０００２】
スーパーマーケットなどの店舗に設置される冷凍冷蔵ショーケースは、周知のように圧縮機や冷却器などの冷凍装置を備え、この冷凍装置で冷却した冷気をショーケース庫内に吹出して庫内に陳列した商品を冷却するものであるが、運転の制御をショーケースに付設したショーケース用制御器で行っている。
【０００３】
そして、庫内温度の制御は、庫内温度をショーケース用制御器で設定した目標温度に保持できるよう行うものであり、そのためには圧縮機をオンオフ制御する。
【０００４】
ところで、圧縮機のオンオフ制御について、圧縮機は一旦停止させたとき、その後直ちに再起動させようとすると、冷媒の圧力不均衡が生じ、過大な起動トルクが必要となる。そして、この状態で、圧縮機を再起動させると、駆動系に無理な力が加わり変形が生じたり、圧縮機に接続してある過電流保護装置が過電流により作動し、この状態で無理に圧縮機を作動すると破損のおそれがある。
【０００５】
かかる事態を回避するため、従来は、圧縮機を一旦停止させた後は、通常３分間程度の時間を経過させ、冷媒圧力が均衡状態となってから再起動させるように保護機能を設けている（例えば特許文献１参照）。
【特許文献１】特開平４−１０６３８４号公報
【発明の開示】
【発明が解決しようとする課題】
【０００６】
工場で冷凍冷蔵ショーケースを製造し、出荷前に製造段階で検査するときや、店舗に搬入して設置するときの搬入段階での初期動作確認の検査時には、検査の度に電源を投入して圧縮機を停止した状態から起動させることになるが、ケース本体に電源を投入したときには、冷媒の圧力不均衡での起動なのか、冷媒圧力が既に均衡している状態からの起動なのかをショーケース用制御器で判断することはできない。
【０００７】
その結果、初期段階で冷媒圧力が均衡しているにもかかわらず、連続して例えば数回行う検査の度に、保護装置が動作して停止後、起動させるまで例えば３分間待機する必要があり、検査に無駄な時間を費やす。また、不慣れな者が検査した場合、３分間もの間、停止していると、故障と誤認することもある。
【０００８】
また、ほんのわずかな時間（例えば１〜２秒間）、瞬間的に通電が停止する瞬停の場合は、停止後に直ちに再起動してしまうので、駆動系に無理な力が加わるなどの不都合が生じる。
【０００９】
このように圧縮機を起動させるときに、圧縮機の圧力が均衡している状態であるにもかかわらず、起動までに所定の時間を要したり、また、瞬停のように保護機能を動作させる必要がある場合でも、再起動してしまうことがある。
【００１０】
本発明の目的は前記従来例の不都合を解消し、ショーケースの製造段階や店頭搬入設置段階などで停止状態から直ちに起動しても不都合のない場合は、即起動させることで圧縮機の動作確認を短時間で行うことができて作業能率の向上を図ることができ、瞬停のように再起動までに待機時間を必要とする場合は、保護機能が確実に動作するようにして冷媒圧力不均衡での起動不良発生を防止し圧縮機保護を図れる冷凍冷蔵ショーケースを提供することにある。
【課題を解決するための手段】
【００１１】
本発明は前記目的を達成するものとして、請求項１記載の発明は、圧縮機や冷却器などの冷凍装置が配設され、冷凍冷蔵ショーケースの運転を制御するショーケース用制御器が接続され、前記圧縮機に保護装置を接続し圧縮機が停止後直ちに再起動されると保護装置が作動して圧縮機の駆動を停止する冷凍冷蔵ショーケースにおいて、冷凍冷蔵ショーケース製造後の初回の圧縮機起動後からの起動回数を前記ショーケース用制御器に予め記憶させておき、この設定された所定の回数分は圧縮機の再起動後、停止させずに即運転に移行することを要旨とするものである。
【発明の効果】
【００１２】
以上述べたように本発明の冷凍冷蔵ショーケースは、初回の圧縮機起動後からの起動回数を前記ショーケース用制御器に予め記憶させておき、この設定された所定の回数分は圧縮機の起動後、停止させずに即運転に移行するようにしたから、ショーケースの製造段階や店頭搬入設置段階での検査時に直ちに起動しても不都合のない場合は、所定回数分の検査は圧縮機の停止状態から電源投入後、直ちに起動でき、起動までに所要時間待機せずにすみ、圧縮機の動作確認を短時間で行うことができて作業能率の向上を図ることができる。
【００１３】
また、運転中に発生する瞬停のように再起動までに待機時間を必要とする場合は、保護機能が確実に動作するようにして冷媒圧力不均衡での起動不良発生を防止し圧縮機保護を図れるものである。
【発明を実施するための最良の形態】
【００１４】
以下、図面について本発明の実施形態を詳細に説明する。図１は本発明の冷凍冷蔵ショーケースの第１実施形態を示す動作のフローチャートで、冷凍冷蔵ショーケースの運転は冷凍冷蔵ショーケース用制御器で圧縮機をオンオフ制御して、庫内温度を設定した目標温度に維持している。
【００１５】
図１（ａ）はその温度制御のフローチャートで、冷却運転中は圧縮機をオンして（ステップ１）庫内に冷気を供給し、庫内温度を庫内に収納する商品の種類などの対応させて予め設定した目標温度に保持している。
【００１６】
この冷却運転により庫内温度が目標温度よりも低くなると（ステップ２）、圧縮機をオフする（ステップ３）。その結果、庫内温度が上昇して目標温度＋デファレンシャルまで上昇したならば（ステップ４）、圧縮機を再度オンして庫内を冷却する。この動作を繰り返して庫内を所定の目標温度に保持する。
【００１７】
ところで、前記のように圧縮機は、一旦停止した後、即起動させようとすると冷媒の圧力不均衡により過大に起動トルクが必要になり、この状態で圧縮機を再起動させると、駆動系に無理な力が加わり変形を生じさせたり、過電流により課電流保護装置が作動して圧縮機を停止させるようにしている。
【００１８】
しかしながら、ショーケースの製造段階や店頭搬入段階での設置時に行う数回の検査時は電源投入後で、冷媒圧力は均衡しているから、圧縮機を停止状態から電源投入後、即起動させても不都合は生じない。
【００１９】
そこで本発明では、電源投入後に圧縮機を即起動させるための制御方法の第１実施形態としてショーケース用制御器に動作初期段階での電源投入時からの起動回数ｎをショーケース用制御器に予め記憶させておく。この回数ｎは例えば３〜数回程度である。
【００２０】
そして、工場での出荷時や店頭設置時の検査のときに、圧縮機を停止状態から電源投入後（ステップ５）、その後直ちに起動した場合、起動回数が設定した回数ｎの範囲であって０回になっていなければ（ステップ６）、圧縮機を即起動させ運転開始する（ステップ７）。
【００２１】
その後、検査のための圧縮機の駆動時間が所要時間例えば３０秒間経過したならば（ステップ８）、圧縮機の駆動回数を１回カウントして、設定したｎ回から１を減算する（ステップ９）。
【００２２】
ここで、駆動回数がカウントされるのに必要な駆動時間を例えば３０秒に設定したのは、検査時にオンオフが瞬時に行われ、圧縮機の運転時間が一定時間である３０秒に達しない場合は、これを減算のための１回としてカウントしないようにするためである。
【００２３】
その後、圧縮機の駆動が継続して起動後３０分が経過したか、また、庫内の温度制御により圧縮機が停止したか、あるいは除霜運転に移行すれば（ステップ１０）、この状態で圧縮機が停止すれば即起動できない状態になったものと判断してｎ回を０にセットする（ステップ１１）。
【００２４】
よって、この状態で圧縮機が停止すればｎ回は０にセットされているから（ステップ６）、圧縮機の保護装置が機能し、停止後は冷媒圧力が均衡するまでの保護時間経過をまって圧縮機が起動される（ステップ１２）。
【００２５】
一方、前記（ステップ９）の段階から、検査時には圧縮機は起動後３０分を経過しないで停止し、また、温度制御や除霜のために停止することもないまま、電源が遮断される。
【００２６】
よって、駆動回数が１回減算されてｎ＝ｎ−１となった状態で、電源が再度投入されることになる（ステップ５、６）。これにより圧縮機停止状態から電源投入後、即起動される（ステップ７）。
【００２７】
このようにしてショーケース用制御器に設定してある回数分は、電源投入後、圧縮機は即起動し、回数が０回に達すれば（ステップ６）、検査による圧縮機起動は終了したものと判断して圧縮機停止後は、起動までに所定の保護時間の経過をまつことになる。
【００２８】
図２の第２実施形態は、第１実施形態の電源投入後と同様に、圧縮機の冷媒圧力が均衡状態にあり、停止後、圧縮機を即起動させても不都合のない場合である。
【００２９】
庫内を設定された所定の目標温度に保持するよう制御する方法は第１実施形態と同様である。第２実施形態では、圧縮機の停止常態から電源を投入した時に（ステップ１３）、この時点で測定された庫内温度が目標温度＋デファレンシャル温度よりも高ければ（ステップ１４）、圧縮機が十分な時間停止していたから庫内温度が上昇しているものと判断して、圧縮機を起動させても安全であるとして圧縮機を即起動させる（ステップ１５）。
【００３０】
これに対して、（ステップ１４）の段階で庫内温度が目標温度＋デファレンシャル温度よりも低ければ、庫内温度が未だ低温であるということは瞬停のように圧縮機は十分な時間停止しておらず、冷媒圧力は不均衡であると判断して、圧縮機起動の保護時間経過を待って圧縮機を起動させる（ステップ１６）。
【００３１】
図３は第３実施形態を示し、前記第２実施形態では、庫内温度を測定してこの庫内温度の値により圧縮機の即起動を判断したが、第３実施形態は、電源投入後の（ステップ１７）冷却器の温度を測定してこの冷却器温度の値により圧縮機の即起動を判断する（ステップ１８）。
【００３２】
冷却器の温度を測定するセンサーは冷却器に付設されているデフロスト検知のためのものを使用し、冷却器温度が目標温度＋デファレンシャル温度よりも高ければ（ステップ１８）、電源を投入した時、既に除霜運転が十分進行している状態で圧縮機は既に十分な時間停止しており、冷媒圧力は既に均衡状態にあるものと判断して、圧縮機を即起動させ運転を開始する（ステップ１９）。
【００３３】
これに対して、（ステップ１８）の段階で冷却器温度が目標温度＋デファレンシャル温度よりも低ければ、冷却器温度が未だ低温であるということは瞬停のように圧縮機は十分な時間停止しておらず、冷媒圧力は不均衡であると判断して、圧縮機起動の保護時間経過を待ってから圧縮機を起動させる（ステップ１６）。
【００３４】
この第３実施形態は、庫内温度を圧縮機即起動の判断基準とする第２実施形態に比較して、冷却器の温度を直接測定するから、圧縮機の冷媒状態に近いシビアなデータが得られる。
【００３５】
図４は第４実施形態を示し、電源投入後に（ステップ２１）、庫内の送風ファンを例えば１０秒間オンし（ステップ２２）、その後の庫内温度を測定して送風ファンをオンする前の庫内温度と比較し、所定値以上、例えば５℃以上上昇したかを判定する（ステップ２３）。
【００３６】
庫内の送風ファンをオンするということは、庫内の空気をかき混ぜることであるが、その結果、庫内温度が５℃以上上昇したということは、庫内が冷却されて庫内温度が低くなっている状態のところへ、送風ファンが回ることで暖かい外気がとりこまれたと判断される。
【００３７】
これに対して、庫内温度が所定値、例えば５℃以上上昇しないということは、送風ファンが回って室内の空気がとりこまれても、庫内が既に室温に近い温度に上昇しており、それ以上大きくは庫内温度が上昇することはないということである。
【００３８】
そして、前記のように庫内温度が既に室温に近い温度になっており、所定値以上上昇しなかったということは、圧縮機が既に十分な時間停止していたということであり、冷媒圧力は既に均衡状態にあるものと判断して、圧縮機を即起動させ運転を開始する（ステップ２４）。
【００３９】
一方、庫内温度が５℃以上上昇した場合は、瞬停のように圧縮機が十分な時間停止しておらず、冷媒圧力は不均衡状態にあるものと判断して（ステップ２３）、圧縮機起動の保護時間経過を待ってから圧縮機を起動させる（ステップ２５）。
【図面の簡単な説明】
【００４０】
【図１】本発明の冷凍冷蔵ショーケースの第１実施形態を示す動作のフローチャートである。
【図２】本発明の冷凍冷蔵ショーケースの第２実施形態を示す動作のフローチャートである。
【図３】本発明の冷凍冷蔵ショーケースの第３実施形態を示す動作のフローチャートである。
【図４】本発明の冷凍冷蔵ショーケースの起動制御方法の第４実施形態を示す動作のフローチャートである。
【図１】
0004766681.tif 000002
【図２】
0004766681.tif 000003
【図３】
0004766681.tif 000004
【図４】
0004766681.tif 000005